(57)【要約】【課題】頭部が破損したねじを容易に取り外せるねじの頭部保持具を提供する。【解決手段】保持具１０は、棒状の保持具本体１とナット部材２を備える。保持具本体１は、ねじ７の頭部７ａの外周を把持可能に開口した穴部１ａを設けた把持部１１を先端部側に有し、先端部に向かって拡径したテーパー雄ねじ部１１ｔを外周に有する。ナット部材２は、テーパー雄ねじ部１１ｔと螺合可能な雌ねじ部２１ｔを中心部に有する。保持具本体１は、先端部からテーパー雄ねじ部１１ｔを越えて基端部側に向かって軸方向に複数のスリット１１ｓを形成して、外周方向に等分割された複数の分割片１１ｄを有する。ナット部材２をテーパー雄ねじ部１１ｔに螺合すると、穴部１ａを縮径できる。そして、ねじ７の頭部７ａの外周を確実に保持でき、頭部７ａが破損したねじを容易に取り外しことができる。【選択図】図１
2013103294.tif 000002
【特許請求の範囲】
【請求項１】
ねじの頭部の外周を把持可能に開口した穴部を設けた把持部を先端部側に有し、先端部側に形成され、先端部に向かって拡径したテーパー雄ねじ部を外周に有する棒状の保持具本体と、
前記テーパー雄ねじ部と螺合可能な雌ねじ部を中心部に有するナット部材と、を備え、
前記保持具本体は、先端部から前記テーパー雄ねじ部を越えて基端部側に向かって軸方向に複数のスリットを形成して、外周方向に等分割された複数の分割片を有し、
前記ナット部材を前記テーパー雄ねじ部に螺合すると、前記穴部が縮径するねじの頭部保持具。
【請求項２】
前記ナット部材の雌ねじ部は、テーパーねじ又は平行ねじのいずれか一方を含んでいる請求項１記載のねじの頭部保持具。
【請求項３】
前記保持具本体は、把持工具で挟持して外周方向に回転可能な板状片を基端部から突出している請求項１又は２記載のねじの頭部保持具。
【請求項４】
前記穴部は、先端面から基端部側に向かって所定の距離で延びる複数の条溝を内壁に有する請求項１から３のいずれかに記載のねじの頭部保持具。
【請求項５】
前記穴部は、先端面から基端部側に向かって延びると共に、複数の前記スリットに連通している請求項１から４のいずれかに記載のねじの頭部保持具。
【請求項６】
前記ナット部材は、格子状の凹凸を形成するローレット加工を外壁に施している請求項１から５のいずれかに記載のねじの頭部保持具。
【発明の詳細な説明】
【技術分野】
【０００１】
本発明は、ねじの頭部保持具に関する。特に、狭い場所や上方に取り付けられたねじの頭部を確実に保持できると共に、頭部の破損したねじを取り外すことが容易な、ねじの頭部保持具の構造に関する。
【背景技術】
【０００２】
一般に、工具であるドライバーは、ねじの頭部に形成された十字溝などに軸部の刃先を差し込んでねじを回すことにより、ねじを締め付けて固定できる。又、ドライバーは、十字溝などに軸部の刃先を差し込んでねじを回すことにより、ねじを緩めて取り外すこともできる。しかし、狭い隙間の中や上方にねじを着脱する場合は、手を添えてねじを軸部の刃先に保持しておくことが困難であった。
【０００３】
このため、ドライバーの先端部が磁力を有する、いわゆるマグネット付きドライバーを用いて、ねじをこのドライバーの先端部に磁着しておくことも考えられる。しかし、磁性をもたないステンレスねじは、マグネット付きドライバーの先端部に磁着しておくことが困難である。
【０００４】
このような不具合を解消するため、ドライバーの軸部の先端部に装着可能な装着部を基端側に設けると共に、ねじの頭部の周囲を保持可能に開口された穴部を有する把持部を先端側に設け、この把持部は、軸方向に複数のスリットを形成して、外周方向に等分割された複数の弾性把持片で構成された、ドライバー用の円筒状のねじ保持具が開示されている（例えば、特許文献１参照）。
【０００５】
一方、ねじの頭部が破損していると、すなわち、十字溝、又はすり割り溝（マイナス溝）が破損していると、ドライバーを用いて、ねじを取り外すことは極めて困難である。このため、プライヤなどでねじの頭部の周囲を把持して、ねじが外れる方向に回そうと試みるが、失敗に終わることが多かった。
【０００６】
このような不具合を解消するため、頭部が破損したねじを簡単、かつ確実に取り除くことができ、家電製品又は電子機器などのリサイクルを行う上で有利な、ねじの取り外し用治具が開示されている（例えば、特許文献２参照）。
【０００７】
特許文献２によるねじの取り外し用治具は、周方向に分割された爪体を先端部に有する軸部材と、軸部材に嵌合する筒体と、を備え、筒体の上端をハンマなどで打ち付け、複数の爪体でねじの頭部を把持する。そして、筒体に設けたハンドルを回して、頭部が破損したねじを取り外せるように構成している。
【先行技術文献】
【特許文献】
【０００８】
【特許文献１】実開平５−２０８７３号公報
【特許文献２】特開２００５−１７７８８２号公報
【発明の概要】
【発明が解決しようとする課題】
【０００９】
しかしながら、特許文献１によるドライバー用のねじ保持具は、ねじの素材に影響されることなく、狭い隙間の中や上方にねじを着脱することは容易であるが、ねじの頭部の周囲を複数の弾性把持片で把持しているだけなので、頭部が破損したねじを取り外すことは困難である、という問題がある。
【００１０】
一方、特許文献２によるねじの取り外し用治具は、頭部が破損したねじを取り外すことは容易であるが、筒体の上端をハンマなどで打ち付ける必要があるなど、狭い隙間の中や上方にねじを着脱することは困難である、という問題がある。
【００１１】
狭い隙間の中や上方にねじを着脱することが容易であり、かつ、頭部が破損したねじを容易に取り外すことが可能な、ねじの頭部保持具が実現できれば便利である。そして、以上のことが本発明の課題といってよい。
【００１２】
本発明は、このような課題に鑑みてなされたものであり、狭い隙間の中や上方にねじを着脱することが容易であり、かつ、頭部が破損したねじを容易に取り外すことが可能な、ねじの頭部保持具を提供することを目的とする。
【課題を解決するための手段】
【００１３】
本発明者は、ねじの頭部の外周を把持可能に開口された穴部を有する把持部を棒状の保持具本体の先端側に設け、軸方向に複数のスリットを形成して、外周方向に等分割された複数の分割片で把持部を構成すると共に、保持具本体の外周に形成されたテーパーねじに締め付け部材を螺合させて穴部を縮径し、ねじの頭部の周囲を強力に把持できることにより、これらの課題を解消できると考え、これに基づいて、以下のような新たなねじの頭部保持具を発明するに至った。
【００１４】
（１）本発明によるねじの頭部保持具は、ねじの頭部の外周を把持可能に開口した穴部を設けた把持部を先端部側に有し、先端部側に形成され、先端部に向かって拡径したテーパー雄ねじ部を外周に有する棒状の保持具本体と、前記テーパー雄ねじ部と螺合可能な雌ねじ部を中心部に有するナット部材と、を備え、前記保持具本体は、先端部から前記テーパー雄ねじ部を越えて基端部側に向かって軸方向に複数のスリットを形成して、外周方向に等分割された複数の分割片を有し、前記ナット部材を前記テーパー雄ねじ部に螺合すると、前記穴部が縮径する。
【００１５】
（２）前記ナット部材の雌ねじ部は、テーパーねじ又は平行ねじのいずれか一方を含んでいる。
【００１６】
（３）前記保持具本体は、把持工具で挟持して外周方向に回転可能な板状片を基端部から突出していることが好ましい。
【００１７】
（４）前記穴部は、先端面から基端部側に向かって所定の距離で延びる複数の条溝を内壁に有することが好ましい。
【００１８】
（５）前記穴部は、先端面から基端部側に向かって延びると共に、複数の前記スリットに連通していることが好ましい。
【００１９】
（６）前記ナット部材は、格子状の凹凸を形成するローレット加工を外壁に施していることが好ましい。
【発明の効果】
【００２０】
本発明によるねじの頭部保持具は、保持具本体に設けたテーパー雄ねじ部にナット部材を螺合すると、複数の分割片で構成された穴部を縮径でき、ねじの頭部を保持具本体の保持部に保持できる。そして、狭い隙間の中や上方にねじを容易に着脱できる。
【００２１】
又、本発明によるねじの頭部保持具は、頭部が破損したねじの頭部を穴部に収容した後に、保持具本体に設けたテーパー雄ねじ部にナット部材を螺合すると、複数の分割片で構成された穴部を縮径でき、頭部が破損したねじの頭部を保持具本体の保持部に強固に保持できる。そして、保持具本体を外周方向に回転すると、頭部が破損したねじを容易に取り外すことができる。
【図面の簡単な説明】
【００２２】
【図１】本発明の一実施形態によるねじの頭部保持具の構成を示す斜視図である。
【図２】前記実施形態によるねじの頭部保持具の構成を示す斜視図であり、図１と異なる方向からねじの頭部保持具を観ていると共に、要部を断面図で示している。
【図３】前記実施形態によるねじの頭部保持具の構成を示す縦断面図であり、保持具本体に設けたテーパー雄ねじ部にナット部材が螺合する前の状態図である。
【図４】前記実施形態によるねじの頭部保持具の構成を示す縦断面図であり、保持具本体に設けたテーパー雄ねじ部にナット部材が螺合した状態図である。
【発明を実施するための形態】
【００２３】
以下、図面を参照して本発明を実施するための形態を説明する。なお、本発明によるねじの頭部保持具に対応する「ねじ」として、電気接続端子用の十字穴付きなべ小ねじを例示するが、これに限定されない。
【００２４】
［ねじの頭部保持具の構成］
最初に、本発明の一実施形態によるねじの頭部保持具の構成を説明する。図１は、本発明の一実施形態によるねじの頭部保持具の構成を示す斜視図である。図２は、前記実施形態によるねじの頭部保持具の構成を示す斜視図であり、図１と異なる方向からねじの頭部保持具を観ていると共に、要部を断面図で示している。
【００２５】
図３は、前記実施形態によるねじの頭部保持具の構成を示す縦断面図であり、保持具本体に設けたテーパー雄ねじ部にナット部材が螺合する前の状態図である。図４は、前記実施形態によるねじの頭部保持具の構成を示す縦断面図であり、保持具本体に設けたテーパー雄ねじ部にナット部材が螺合した状態図である。
【００２６】
図１又は図２を参照すると、本発明の一実施形態によるねじの頭部保持具（以下、保持具と略称する）１０は、棒状の保持具本体１とナット部材２を備えている。保持具本体１は、ステンレス棒などからなり、把持部１１を先端部側に有している。又、保持具本体１は、先端部側に形成され、先端部に向かって拡径したテーパー雄ねじ部１１ｔを外周に有している。
【００２７】
一方、図１から図４を参照すると、ナット部材２は、テーパー雄ねじ部１１ｔと螺合可能な雌ねじ部２１ｔを中心部に有している。実施の形態では、ナット部材２の雌ねじ部２１ｔは、テーパーねじを形成しているが平行ねじであってもよい。
【００２８】
図１又は図２を参照すると、把持部１１は、ねじ７の頭部７ａの外周を把持可能に開口した穴部１ａを設けている。又、保持具本体１は、先端部からテーパー雄ねじ部１１ｔを越えて基端部側に向かって軸方向に複数（四つ）のスリット１１ｓを形成している。そして、保持具本体１は、外周方向に等分割された複数（四つ）の分割片１１ｄを構成している。ナット部材２をテーパー雄ねじ部１１ｔに螺合すると、ねじ７の頭部７ａの外周を把持できるように、穴部１ａを縮径できる（図４参照）。
【００２９】
図１又は図２を参照すると、穴部１ａは、複数の条溝１１ａを内壁に形成している。これらの条溝１１ａは、条溝１１ａの先端面から基端部側に向かって、頭部７ａの高さＨ（図３参照）以上の距離に延びている。これにより、頭部７ａの外周との摩擦係数を増加して、ねじ７を確実に回すことができる。
【００３０】
又、図１から図３を参照すると、穴部１ａは、先端面から基端部側に向かって延びると共に、複数のスリット１１ｓに連通している。言い換えれば、複数の分割片１１ｄは、基端部側で結合している。このように、分割片１１ｄが比較的長い長さで片持ち支持されることにより、分割片１１ｄの先端部側が縮径する方向に撓んだときに、その反力を小さくできる。
【００３１】
図１から図３を参照すると、保持具本体１は、ペンチやプライヤなどの把持工具８（図３参照）に連結される連結部１２を基端部側に備えている。連結部１２は、把持工具８で挟持して、保持具本体１を外周方向に回転可能な板状片１２ａを基端部から突出している。連結部１２は、ステンレス棒などからなり、相反する向きに向かう一対の外周を平坦に切削加工することにより、板状片１２ａを得ることができる。又、相反する向きに向かう一対の外周が平坦な板状片１２ａは、連結部１２を成形して得ることもできる。
【００３２】
図１から図４を参照すると、実施形態による保持具１０は、保持具本体１と連結部１２を別体で構成し、保持具本体１と連結部１２とを溶接などで結合しているが、保持具本体１と連結部１２を一体で構成してもよい。
【００３３】
図１又は図２を参照すると、ナット部材２は、格子状の凹凸を形成するローレット加工を外壁に施している。具体的には、ナット部材２は、綾目ローレット（ダイヤモンド・ナール）２ｎを外周に形成している。これにより、ナット部材２が滑ることなく回すことができる。ナット部材２は、綾目ローレット２ｎに変えて、筋目ローレット（ストレート・ナール）を外周に加工してもよい。
【００３４】
［ねじの頭部保持具の作用］
次に、実施形態による保持具１０の操作方法を説明しながら、保持具１０の作用及び効果を説明する。
【００３５】
図３を参照して、穴部１ａの内径ｄは、ねじ７の頭部７ａの外径Ｄより若干大きく形成されている。したがって、図３に示されるように、ナット部材２がテーパー雄ねじ部１１ｔに螺合していない状態では、ねじ７の頭部７ａを穴部１ａに収容できる（図４参照）。そして、ナット部材２をテーパー雄ねじ部１１ｔに螺合すると、穴部１ａを縮径して、保持具１０の先端部にねじ７の頭部７ａを保持できる。
【００３６】
図３を参照して、実施形態による保持具１０は、保持具１０の先端部にねじ７の頭部７ａを保持した状態で、板状片１２ａを挟持した把持工具８を回転操作することにより、上方に設けた被締結体９にねじ７のねじ部７ｂを容易に締結できる。
【００３７】
一方、図４を参照して、実施形態による保持具１０は、保持具１０の先端部にねじ７の頭部７ａを保持した状態で、板状片１２ａを挟持した把持工具８を回転操作することにより、上方に設けた被締結体９からねじ７を容易に取り外すことができる。
【００３８】
このように、実施形態による保持具１０は、保持具本体１に設けたテーパー雄ねじ部１１ｔにナット部材２を螺合すると、複数の分割片１１ｄで構成された穴部１ａを縮径でき、ねじ７の頭部７ａを保持具本体１の把持部１１に保持できる。そして、上方に設けた被締結体９にねじ７を容易に着脱できる。又、実施形態による保持具１０は、棒状に形成されているので、狭い隙間の中にねじ７を容易に着脱できる。
【００３９】
又、図４を参照して、実施形態による保持具１０は、頭部７ａが破損した（十字溝が破損した）ねじ７の頭部７ａを穴部１ａに収容した後に、保持具本体１に設けたテーパー雄ねじ部１１ｔにナット部材２を螺合すると、複数の分割片１１ｄで構成された穴部１ａを縮径でき、頭部７ａが破損したねじ７の頭部７ａを保持具本体１の把持部１１に強固に保持できる。そして、板状片１２ａを挟持した把持工具８を回転操作することにより、頭部７ａが破損したねじ７を被締結体９から容易に取り外すことができる。
【００４０】
本発明によるねじの頭部保持具は、以下の効果が期待できる。
（１）本発明によるねじの頭部保持具は、棒状に形成されているので狭い隙間の中にねじを容易に着脱できる。
（２）ナット部材を回転操作することにより、ねじの頭部の外周を強固に締め付けることができるので、ペンチやプライヤなどの把持工具でねじの頭部の外周を締め付ける場合と比べて、強い握力を必要としない利点がある。
（３）特許文献２に示されたような、専用の治具が不要である。
（４）本発明によるねじの頭部保持具は、比較的小型化でき、携帯性に優れている。
【００４１】
本発明によるねじの頭部保持具は、テーパー雄ねじ部に対応するナット部材の螺合量により、ねじの頭部の締め付け力を調整でき、ねじの頭部の締め付け力に対応して、狭い隙間の中や上方にねじを着脱することもでき、頭部が破損したねじを容易に取り外すこともできる。
【符号の説明】
【００４２】
１  保持具本体
１ａ  穴部
２  ナット部材
７  ねじ
７ａ  頭部
１０  保持具（ねじの頭部保持具）
１１  把持部
１１ｄ  分割片
１１ｓ  スリット
１１ｔ  テーパー雄ねじ部
２１ｔ  雌ねじ部
【図１】
2013103294.tif 000003
【図２】
2013103294.tif 000004
【図３】
2013103294.tif 000005
【図４】
2013103294.tif 000006